(57)【要約】【課題】本発明は、高速伝送用電気コネクタに関し、従来の高速伝送用電気コネクタにおいて、狭小ピッチでのノイズを低減させることが課題であって、それを解決することである。【解決手段】高速信号の伝送用電気コネクタにおいて、相手方コネクタと接合する接合部における横一段若しくは上下２段で横一列にして配設された複数のコンタクト４を、横一列に配設されたコンタクトのうち高速伝送用の１組のコンタクト群同士の間のコンタクト部分を抜きピン７ａにした高速伝送用電気コネクタ１とする。【選択図】図１
2014002885.tif 000002
【特許請求の範囲】
【請求項１】
高速信号の伝送用電気コネクタにおいて、相手方コネクタと接合する接合部における横一段若しくは上下２段で横一列にして配設された複数のコンタクトを、横一列に配設されたコンタクトのうち高速伝送用の１組のコンタクト群同士の間のコンタクト部分を抜きピンにしたこと、
を特徴とする高速伝送用電気コネクタ。
【請求項２】
高速伝送用の１組のコンタクト群は、２本の隣接する信号用コンタクトと、該２本の隣接する信号用コンタクトのいずれか片側若しくは両側に位置するグランド用コンタクトであること、
を特徴とする請求項１に記載の高速伝送用電気コネクタ。
【請求項３】
コンタクト部分の抜きピンの数は、高速伝送用の１組のコンタクト群と同じ本数であること、
を特徴とする請求項１または２に記載の高速伝送用電気コネクタ。
【発明の詳細な説明】
【技術分野】
【０００１】
本発明は、小型Ｉ／Ｏに使用される高速伝送用電気コネクタに関するものである。
【背景技術】
【０００２】
従来、高速伝送に使用される電気コネクタにおけるコンタクトの配置は、例えば、接点部は２列で千鳥ピッチ、半田付け部も千鳥配置であるが、半田付け部はピッチ変換が必要なもの（特許文献１参照）、その他、接点部は１列、半田付け部は格子配列、但し、半田付け部のグランドの前方と後方とに信号を配置している（特許文献２参照）ものが、知られている。
【先行技術文献】
【特許文献】
【０００３】
【特許文献１】特開２００７−１１５７０７号公報
【特許文献２】特開２００７−１７９９６０号公報
【発明の概要】
【発明が解決しようとする課題】
【０００４】
しかし、従来の高速伝送用電気コネクタにおいて、ライトアングルタイプのコンタクトと実装するプリント基板の半田付け用穴との間において、多数のコンタクトが狭小ピッチで密集することになる。よって、信号線同士の間にグランド線が存在することで、クロストークによりノイズが割り込み、信号の伝送に悪影響を与えることになる。電気コネクタの信号線が多くなるにつれ、コンタクトがライトアングルタイプであって、プリント基板における半田付け穴を千鳥配置にして間隔が広くなるように工夫しても、それだけでは自ずと限界があり、高速伝送に支障をきたすこととなっている。そこで、本発明に係る高速伝送用電気コネクタは、このような課題を解決するために提案されたものである。
【課題を解決するための手段】
【０００５】
本発明に係る高速伝送用電気コネクタの上記課題を解決して目的を達成するための要旨は、高速信号の伝送用電気コネクタにおいて、相手方コネクタと接合する接合部における横一段若しくは上下２段で横一列にして配設された複数のコンタクトを、横一列に配設されたコンタクトのうち高速伝送用の１組のコンタクト群同士の間のコンタクト部分を抜きピンにしたことである。
【０００６】
前記高速伝送用の１組のコンタクト群は、２本の隣接する信号用コンタクトと、該２本の隣接する信号用コンタクトのいずれか片側若しくは両側に位置するグランド用コンタクトであることである。
また、前記コンタクト部分の抜きピンの数は、高速伝送用の１組のコンタクト群と同じ本数であることを含むものである。
【発明の効果】
【０００７】
本発明の高速伝送用電気コネクタによれば、高速伝送用の１組のコンタクト群同士の間を抜きピンにしたことで、既存品との嵌合互換性を保ちながら高速伝送に対応させることが出来る。また、高速伝送の信号において、信号に入り込むノイズが低減されノイズ（クロストーク）耐性が向上する。この高速伝送用電気コネクタを実装するプリント基板においては、基板配線の設計が容易となり、最短配線が可能となる、と言う数々の優れた効果を奏するものである。
【図面の簡単な説明】
【０００８】
【図１】本発明に係る高速伝送用電気コネクタ１の構成を示すもので、コンタクトを除いた平面図（Ａ）と、背面図（Ｂ）と、縦断面図（Ｃ）とである。
【図２】同本発明の高速伝送用電気コネクタ１の正面図（Ａ）、対応するプリント基板の取付穴の配置図（Ｂ）である。
【図３】高速伝送用電気コネクタ１におけるコンタクト間のノイズの影響の様子を示す説明図（Ａ），（Ｂ），（Ｃ）である。
【図４】本発明に係る高速伝送用電気コネクタ１に対応したプリント基板の配線状態を示す平面図である。
【図５】同高速系と低速系を組合せた高速伝送用電気コネクタの正面図（Ａ）、該電気コネクタに対応するプリント基板の取付穴の配置図（Ｂ）である。
【発明を実施するための形態】
【０００９】
本発明に係る高速伝送用電気コネクタ１は、図１に示すように、コンタクトを適宜に抜きピンにして、高速伝送におけるクロストークを低減させるものである。
【実施例１】
【００１０】
前記高速伝送用電気コネクタ１は、合成樹脂製の絶縁ハウジング２、接合部２ｂの金属製カバー（シェル）３、前記絶縁ハウジング２に設けられた収納穴２ａとプリント基板用の整列板５に穿設された穴５ａ，５ｂに屈曲して収納され上下２段に配列されたコンタクト４、前記絶縁ハウジング２に装着されるアース金具６から構成されている。
【００１１】
そして、前記高速信号の伝送用電気コネクタ１において、相手方コネクタと接合する接合部２ｂにおける横一段若しくは上下２段で横一列にして配設された複数のコンタクト４を、図２（Ａ）に示すように、横一列に配設されたコンタクト４のうち高速伝送用の１組のコンタクト群７，７…同士の間のコンタクト部分を抜きピン７ａにする。
【００１２】
前記高速伝送用の１組のコンタクト群７とは、図２（Ａ）において、ＳＳＧと便宜的に上部で記号表示している３個のコンタクトであり、その記号の内容は、Ｓが信号用コンタクトであり、Ｇがアース用のコンタクトであることを示している。そして、高速の差動伝送において、Ｓｉｇ（+）とＳｉｇ（−）との電磁界結合が強いほど耐ノイズ性が向上する。よって、耐ノイズ性を低下させないために、前記Ｓ，Ｓのコンタクト間には他の伝送路やＧＮＤ（Ｇ）用コンタクトが入らないようにする。
【００１３】
このように、高速伝送用の１組のコンタクト群７は、２本の隣接する信号用コンタクトと、該２本の隣接する信号用コンタクトのいずれか片側若しくは両側に位置するグランド用コンタクトとで構成される。例えば、上記のＳ，Ｓ，Ｇという３個のコンタクト群の場合に限らず、Ｇ，Ｓ，Ｓ，Ｇのような配列のコンタクト群であってもよい。
【００１４】
前記抜きピン７ａは、前記横一列に配設されている１組のコンタクト群（ＳＳＧ），（ＳＳＧ）７の間で、３個のコンタクトを抜いて、配設しない状態としている。これは、図３（Ａ）に示すように、伝送特性においてノイズ量の影響は、ノイズ源伝送路と被ノイズ源伝送路との電磁界の結合状態で決まり、上下間＜隣接間＜対角間の順で耐ノイズ性がある。
【００１５】
更に詳述すると、図３（Ｂ），（Ｃ）に示すように、前記電磁界の結合状態の強さは、矢印が太いほど結合強度が強く、対になる信号間で収束している矢印が多いほど、耐ノイズ性が強い。また、破線で示す矢印は、対になる信号線と結合するよりも、他の金属（コンタクト、シェル等）と結合しやすい箇所を示している。そのうち、他の信号部（Ｓｉｇ）と結合したものがノイズとなり、その影響度は、結合強度（矢印の太さと数）に依存する。この破線の矢印とＧＮＤとの結合が多いときも耐ノイズ性が強くなる。
【００１６】
そこで、前記ノイズ源伝送路と被ノイズ源伝送路との構造が同じであれば、間にＧＮＤ（Ｇ）を入れるか、間隔を広くすれば良い。かかることから、前記１組のコンタクト群７同士の間隔を広くするために、コンタクトを抜いたのである。
【００１７】
なお、前記抜きピン７ａにおいて、コンタクト部分の抜きピンの数は、高速伝送用の１組のコンタクト群７と同じ本数である。この本数に関しては、特に取り決めは無いが、ノイズの影響を考慮すれば間隔を広くするほうが良いので、１組のコンタクト群７の数と同じかそれ以上にするものである。
【００１８】
図２（Ａ）に示すように、抜きピン７ａが、上下方向に上段と下段とにおいて交互に横方向に設定され、千鳥配置になっている。そして、図２（Ｂ）に示すように、コンタクト４の脚部が挿入されるプリント基板８の半田付け用の穴（ホール）８ａは、前後に千鳥配置になっている。ピンが抜かれているプリント基板８上の仮想穴の場所８ｂを、千鳥配置にして示す。
【００１９】
図２（Ａ）に示す前記上段のコンタクト４（ピンＮｏ．１〜１３番）と下段のコンタクト４（ピンＮｏ．１４〜２６番）とのそれぞれのコンタクト４が、図１（Ａ），（Ｃ）に示すように、接続方向と直交する方向に屈曲されてプリント基板８の穴８ａに貫通されるライトアングルタイプにして、前後に千鳥配置にされている。尚、コンタクト４のプリント基板８への接続を、プリント基板に貫通させたピンの半田付けタイプにして説明しているが、表面実装（ＳＭＴ）タイプの場合でも適用できる。
【００２０】
このようにして、高速伝送路のみのタイプの高速伝送用電気コネクタ１では、コンタクト群間のクロストークが低減されノイズ耐性が向上する。また、プリント基板８においても、図４に示すように、回路９の引き回しにおいて真直ぐに配線することが可能となり、高速系の差動伝送路を最適で且つ最短距離に配線できる。
【００２１】
また、プリント基板８の基板端面との間隔ａの間で、差動伝送路を配線する必要が無く、プリント基板８における回路の配線引き回しが容易となり、基板の設計における制約が低減されることになる。
【００２２】
前記図２に示す高速伝送用電気コネクタ１は、全てのコンタクト４が、高速伝送路用のコンタクトであったが、図５（Ａ），（Ｂ）に示すように、高速系と低速系との混合タイプのコンタクト４，１０もある。
【００２３】
前記高速系の信号配置は、図２，図4と同じであって、下側で抜きピンしなかった箇所は、「電源」や「GND」或は、「低速系」の信号として使用する。「電源」や「GND」が、ノイズ源伝送路の「上下間」や「隣接間」に配置されても、殆ど影響が無い。また、耐ノイズ性の関係は「上下間＜隣接間＜対角間」であることは変わりなく、ノイズ源の信号速度によってノイズ量の絶対値が変化し、信号速度が速い(高速な)程、ノイズが強くなる。
【００２４】
例えば、実施例において、「高速系」を振幅0.3Vp-pの2Gbps差動信号とし、「低速系」を振幅3.0Vp-pの2Mbpsシングルエンド信号とし、「高速系」と「低速系」とが「上下間」に配置した場合において、「高速系」がノイズ源の時、0.3Vp-pの約3.6%(≒0.01V)がノイズとして「低速系」伝送路に伝搬するが、低速系の振幅は3.0Vp-pなので、殆ど影響しない。
【００２５】
また「低速系」がノイズ源の時、3.0Vp-pの約0.01%(≒0.0003V)がノイズとして「高速系」伝送路に伝搬するが、高速系の振幅は0.3Vなので、殆ど影響しない。
【００２６】
そして、図５（Ａ）に示す高速伝送用電気コネクタ１の接続部２ｂにおける下段（ピンＮｏ．１４〜２６）は抜きピンが無く、高速系のコンタクト４と低速系のコンタクト１０との一群が交互に配設されている。図５（Ｂ）に示すように、プリント基板８上において、高速系のコンタクト４用の穴８ａが千鳥配置にされていて、低速系のコンタクト１０用の穴８ｄが、前段の高速系の穴８ａの間に設けられている。
【００２７】
このように、高速系と低速系のコンタクトが混在する場合でも、高速系のコンタクト群７，７，…において、その間で抜きピン７ａをすることで、ノイズ耐性を向上させることが出来る。
【産業上の利用可能性】
【００２８】
本発明に係る高速伝送用電気コネクタ１は、高速系の電気コンタクト一般に適用できるものである。
【符号の説明】
【００２９】
１    高速伝送用電気コネクタ、
２    絶縁ハウジング、                  ２ａ        収納穴、
２ｂ  接続部、
３    カバー（シェル）、
４    コンタクト、
５    整列板、                          ５ａ，５ｂ  穴、
６    アース金具、
７    １組のコンタクト群、              ７ａ        抜きピン、
８    プリント基板、                    ８ａ        穴（ホール）、
８ｂ  仮想穴の場所、                    ８ｃ        アース金具用穴、
８ｄ  低速系のコンタクト用穴、
９    回路、
１０  低速系のコンタクト。
【図１】
2014002885.tif 000003
【図２】
2014002885.tif 000004
【図３】
2014002885.tif 000005
【図４】
2014002885.tif 000006
【図５】
2014002885.tif 000007